(57)【要約】【課題】  熱による用紙の黄変を抑制し、かつ、加熱部を冷却することができる乾燥装置、及び、印刷システムを提供する。【解決手段】  加熱部３０と、記録媒体１０を搬送する複数のローラ４１，４４とを備え、前記加熱部による加熱動作が停止、又は、スタンバイ状態である場合に加熱部を冷却する乾燥装置１００において、複数のローラのうち少なくとも１つのローラを移動可能に保持するローラ移動機構４９を備え、加熱部の冷却時に、ローラ移動機構の移動によって、記録媒体の搬送方向下流向き、及び、該搬送方向上流向きの少なくとも一方に記録媒体を搬送する。【選択図】図２
2016175709.tif 000002
【特許請求の範囲】
【請求項１】
記録媒体を加熱する加熱部と、前記記録媒体を搬送する複数のローラとを備え、前記加熱部による加熱動作が停止、又は、スタンバイ状態である場合に前記加熱部を冷却する乾燥装置において、前記複数のローラのうち少なくとも１つローラを移動可能に保持するローラ移動機構を備え、前記加熱部の冷却時に、前記ローラ移動機構の移動によって、前記記録媒体の搬送方向下流向き、及び、該搬送方向上流向きの少なくとも一方に前記記録媒体を搬送することを特徴とする乾燥装置。
【請求項２】
請求項１の乾燥装置において、前記加熱部の冷却時に、前記ローラ移動機構の移動によって、前記加熱部に対し前記搬送方向上流側の前記記録媒体の搬送距離、及び該搬送方向下流側の前記記録媒体の搬送距離のうち少なくとも一方が前記加熱部の冷却前と比べて長くなることを特徴とする乾燥装置。
【請求項３】
請求項１又は２の乾燥装置において、前記ローラ移動機構として、前記加熱部に対して前記記録媒体の搬送方向上流側に位置する上流側ローラ移動機構と、前記加熱部に対して該搬送方向下流側に位置する下流側ローラ移動機構とを備え、前記加熱部の冷却時に、前記下流側ローラ移動機構及び前記上流側ローラ移動機構の移動によって、前記加熱部に対して前記記録媒体の搬送方向下流向き、及び、該搬送方向上流向きの少なくとも一方に前記記録媒体を搬送することを特徴とする乾燥装置。
【請求項４】
請求３の乾燥装置において、前記下流側ローラ移動機構の移動によって前記加熱部の冷却前に比べて変化する、前記加熱部に対して前記搬送方向下流側の前記記録媒体の搬送距離の変化量と、前記上流側ローラ移動機構の移動によって前記加熱部の冷却前に比べて変化する、前記搬送方向下流側の前記記録媒体の搬送距離の変化量とが等しくなるように、前記上流側ローラ移動機構及び前記下流側ローラ移動機構が移動することを特徴とする乾燥装置。
【請求項５】
請求項４の乾燥装置において、前記下流側ローラ移動機構及び前記上流側ローラ移動機構の移動によって、前記加熱部に対して前記搬送方向下流側の前記記録媒体の搬送距離を前記加熱部の冷却前と比べて短くし、前記上流側ローラ移動機構の移動によって前記加熱部に対して前記搬送方向上流側の前記記録媒体の搬送距離を前記加熱部の冷却前と比べて長くすることを特徴とする乾燥装置。
【請求項６】
請求項１乃至５いずれか一の乾燥装置において、前記上流側ローラ移動機構及び前記下流側ローラ移動機構の少なくとも一方は、該ローラ移動機構の保持するローラの位置を移動させることで、前記加熱部の稼働時に前記記録媒体にテンションを与えるテンション機構であることを特徴とする乾燥装置。
【請求項７】
請求項１乃至６いずれか一の乾燥装置において、前記下流側ローラ移動機構は、前記下流側ローラ移動機構の保持するローラの位置を移動させることで前記搬送距離を調整し、前記加熱部から搬送された前記記録媒体を冷却する記録媒体冷却機構であることを特徴とする乾燥装置。
【請求項８】
請求項１乃至７いずれか一の乾燥装置において、前記記録媒体の搬送を制御する制御部を有することを特徴とする乾燥装置。
【請求項９】
記録媒体にインク液又は前処理液を塗布する前処理装置と、前記前処理装置に対して前記記録媒体の搬送経路下流に設置され、前記記録媒体を乾燥させる乾燥装置と、前記記録媒体加熱装置の該搬送経路下流に設けられ、前記記録媒体を巻き取る又は任意の大きさにカットする後処理装置とを有する印刷システムにおいて、前記乾燥装置として請求項１乃至８いずれか一の乾燥装置を用いることを特徴とする印刷システム。
【発明の詳細な説明】
【技術分野】
【０００１】
本発明は、乾燥装置、および印刷システムに関するものである。
【背景技術】
【０００２】
従来、インクや前処理液などの付着物が塗布された記録媒体を加熱する加熱部によって記録媒体を乾燥させる乾燥装置が知られている。
【０００３】
この種の乾燥装置として、例えば、特許文献１には、次のような乾燥装置が記載されている。この乾燥装置は、長尺の記録媒体を加熱する加熱部と、乾燥装置内において前記記録媒体を巻き掛けて搬送する複数のローラとを有している。この複数のローラによって搬送される記録媒体は、加熱部を通過することで乾燥され、乾燥装置の外部まで搬送される。
また、この乾燥装置は、加熱部内の空気を外部に排出するための排出ファンを備えている。この排出ファンによって、加熱部による加熱動作の停止時に加熱部内に気流を形成し、この気流によって加熱ローラを冷却することができるとしている。
【発明の概要】
【発明が解決しようとする課題】
【０００４】
通常、乾燥装置は、装置停止後に装置内で作業する場合や、加熱部の設定温度を切り替える場合などに、加熱部による加熱動作を停止、又は、スタンバイ状態にして加熱部の温度を下げる必要がある。
しかしながら、特許文献１の乾燥装置は、加熱部の加熱動作が停止している際の記録媒体の動作については言及が無い。仮に、高温の加熱ローラ上に用紙が接触し続けると、加熱ローラの熱で用紙が黄色く変色（黄変）してしまうおそれがある。
【課題を解決するための手段】
【０００５】
上述した課題を達成するために、本発明は、記録媒体を加熱する加熱部と、前記記録媒体を搬送する複数のローラとを備え、前記加熱部による加熱動作が停止、又は、スタンバイ状態である場合に前記加熱部を冷却する乾燥装置において、
前記複数のローラのうち少なくとも１つローラを移動可能に保持するローラ移動機構を備え、前記加熱部の冷却時に、前記ローラ移動機構の移動によって、前記記録媒体の搬送方向下流向き、及び、該搬送方向上流向きの少なくとも一方に前記記録媒体を搬送することを特徴とするものである。
【発明の効果】
【０００６】
本発明によれば、熱による用紙の黄変を抑制し、かつ、加熱部を冷却することができる。
【図面の簡単な説明】
【０００７】
【図１】本実施形態に係る乾燥装置を備える印刷システムの一例を示す概略構成図。
【図２】同乾燥装置の一例を示す概略構成図。
【図３】同乾燥装置の制御の一例を示す図。
【図４】同乾燥装置の加熱部の冷却動作の一例について説明する図。
【図５】同冷却動作の他の動作の一例について説明する図
【図６】冷却時間と加熱部温度との関係を示すグラフ。
【発明を実施するための形態】
【０００８】
以下、本発明を適用した記録媒体加熱装置として、乾燥装置１００の一実施形態について、図面を参照して説明する。
まず、本実施形態に係る乾燥装置１００を備える印刷システムの構成について説明する。
図１は、本実施形態に係る乾燥装置１００を備える印刷システムの一例を示す概略構成図である。
図１に示すように、印刷システム５００は、本実施形態の乾燥装置１００に対して記録媒体１０の搬送経路上流側に前処理装置である印刷装置２００、該搬送経路下流側に後処理装置である巻取り装置３００を備えている。
【０００９】
印刷装置２００は、ロール上に巻き取られた長尺の記録媒体１０上に画像を印刷するものである。
乾燥装置１００は、印刷装置２００と、後述する巻き取り装置３００との間に設置され、記録媒体上に塗布されたインク定着性を向上させる追加乾燥装置である。この乾燥装置１００については後ほど詳述する。
巻取り装置３００は、乾燥装置１００の内部で適宜乾燥された記録媒体１０を連続的に巻き取る記録媒体処理装置である。
【００１０】
次に、本実施形態に係る乾燥装置１００の構成について詳しく説明する。
図２は、本実施形態の乾燥装置１００の一例を示す概略構成図である。
図２に示すように、本実施形態の乾燥装置１００は、テンション部２０、加熱部である乾燥部３０、及び、冷却部４０を備えている。また、本実施形態の乾燥装置１００は、テンション部２０、乾燥部３０、及び、冷却部４０の内部でロール状の記録媒体１０を搬送する搬送経路を備えている。
【００１１】
テンション部２０は、３つのガイドローラ２１，２２，２３（以下、２１〜２３と表す）、２つのダンサーローラ２４，２５、及び、上流側ローラ移動機構である上流側昇降機構２６を有する。
各ガイドローラ２１〜２３は、自由に回転できるよう軸線方向両端部が軸受けにて保持されており、記録媒体１０の搬送と従動して回転するように設置されている。
各ダンサーローラ２４，２５の軸線方向両端部は、自由に回転できるよう後述する上流側昇降機構２６に保持されており、記録媒体１０の搬送と従動して回転するように設置されている。
【００１２】
上流側昇降機構２６は、２つのダンサーローラ２４，２５の軸線方向両端部を保持し、テンション部２０内部を昇降可能に設けられている。この上流側昇降機構２６を昇降させることで、２つのダンサーローラ２４，２５の上下方向の位置を調整することができる。
また、上流側昇降機構２６は、上流側昇降機構２６の保持する２つのダンサーローラ２４，２５を移動させることで、乾燥部３０の稼働時に記録媒体１０にテンションを与えるテンション機構である。この上流側昇降機構２６の昇降動作によって記録媒体１０を掛けまわしたローラ対の間隔を上下に広げることで、記録媒体１０にテンションを与えている。
【００１３】
また、テンション部２０は、テンション部２０内で３つのガイドローラ２１〜２３と２つのダンサーローラ２４，２５とに記録媒体１０を巻き掛けて搬送経路を形成している。記録媒体１０はこの搬送経路を通過し、テンション部２０に対して記録媒体１０の搬送方向下流（以下、単に搬送方向下流という）に位置する乾燥部３０へ送られる。
【００１４】
乾燥部３０は、複数の加熱ローラ３１、３２、３３、３４、３５、３６（以下、３１〜３６と表す）を備え、乾燥部３０全体が断熱壁で覆われた閉構造となっている。
複数の加熱ローラ３１〜３６は、各加熱ローラ３１〜３６の内部中央に所定の熱容量を持つヒータを備え、この各ヒータの発熱領域によって記録媒体１０の搬送領域を覆っている。また、各加熱ローラ３１〜３６は、自由に回転できるよう軸線方向両端部が軸受けにて保持されており、記録媒体１０の搬送と従動して回転するように設置されている。
また、乾燥部３０は、乾燥部３０内で複数の加熱ローラ３１〜３６に記録媒体１０を巻き掛けて搬送経路を形成している。記録媒体１０は、この搬送経路を通過する際に、記録媒体１０上に塗布されたインク、又は先塗り液などの定着・乾燥に必要な熱量が各加熱ローラ３１〜３６によって供給されることで乾燥される。そして、乾燥部３０に対して搬送方向下流に位置する冷却部４０へ送られる。
【００１５】
冷却部４０は、４つのダンサーローラ４１，４２，４３，４４（以下、４１〜４４と表す）、４つのガイドローラ４５，４６，４７，４８（以下、４５〜４８と表す）、下流側ローラ移動機構である下流側昇降機構４９、及び、冷却ファン５０を有する。
各ダンサーローラ４１〜４４の軸線方向両端部は、自由に回転できるよう後述する下流側昇降機構４９に保持されており、記録媒体１０の搬送と従動して回転するように設置されている。
【００１６】
下流側昇降機構４９は、４つのダンサーローラ４１〜４４の軸線方向両端部を保持し、冷却部４０内部を昇降可能に設けられている。この下流側昇降機構４９を昇降させることで、４つのダンサーローラ４１〜４４の上下方向の位置を調整することができる。
また、下流側昇降機構４９は、下流側昇降機構４９の保持する４つのダンサーローラ４１〜４４を移動させることで、乾燥部３０の稼働時に記録媒体１０にテンションを与えるテンション機構である。この下流側昇降機構４９の昇降動作によって記録媒体１０を掛けまわしたローラ対の間隔を上下に広げることで、記録媒体１０にテンションを与えている。
さらにまた、下流側昇降機構４９は、乾燥部３０の稼働時に乾燥部３０から搬送された記録媒体１０を冷却する記録媒体冷却機構である。下流側昇降機構４９は、下流側昇降機構４９の保持する４つのダンサーローラ４１〜４４を移動させることで冷却部４０内の記録媒体１０の搬送距離を調整し、記録媒体１０の冷却時間を調整している。
【００１７】
各ガイドローラ４５〜４８は、自由に回転できるよう軸線方向両端部が軸受けにて保持されており、記録媒体１０の搬送と従動して回転するように設置されている。
冷却ファン５０は、ダンサーローラ４１〜４４の下方に設けられ、乾燥部３０の稼働時に乾燥部３０での加熱によって高温となった記録媒体１０を冷却するための冷却手段である。
また、冷却部４０は、冷却部４０は内で４つのダンサーローラ４１〜４４と４つのガイドローラ４５〜４８とに記録媒体１０を巻き掛けて搬送経路を形成している。乾燥部３０を通過してきた記録媒体１０は、この搬送経路を通過する際に冷却ファン５０によって冷却され、乾燥装置１００の搬送方向下流側に位置する巻取り装置３００へ送られる。
【００１８】
次に、本実施形態の乾燥装置の制御の一例について説明する。
図３は、本実施形態の乾燥装置の制御の一例を示す図である。
図３に示すように、本実施形態における制御部である制御装置７０は、上流側昇降機構２６、下流側昇降機構４９、冷却ファン５０、操作部７１、及び、加熱部温度センサ７２に接続している。
操作部７１はオペレータによって冷却指示が入力される情報入力手段であり、加熱部温度センサ７２は、乾燥装置１００の乾燥部３０内に設置され、加熱部の温度を検知する温度検知手段である。
【００１９】
制御装置７０は、操作部７１に冷却指示が入力されると、上流側昇降機構２６、下流側昇降機構４９、及び、冷却ファン５０を制御して後述する冷却動作を実施する。そして、加熱部温度センサ７２の検出値が７０度以下（メンテナンス温度）となるまで、乾燥部３０の冷却動作を実行させるよう制御を行う。
【００２０】
次に、本実施形態の乾燥装置１００における、乾燥部３０の冷却動作について説明する。
図４は、同乾燥装置１００の備える乾燥部３０の冷却動作の一例について説明する図。
本実施形態における乾燥装置１００は、乾燥装置１００の停止時にオペレーターから乾燥部３０の冷却指示を制御装置７０が受けると、乾燥部３０の冷却動作を次のように行う。
【００２１】
まず、図４に示すように、冷却部４０に設けられた下流側昇降機構４９を図中矢印Ａの向きに下降させる。
この下流側昇降機構４９の下降によって冷却部４０内のガイドローラ４５〜４８とダンサーローラ４１〜４４との間隔が広げられ、冷却部４０内の記録媒体１０の搬送距離が長くなる。また、下流側昇降機構４９の下降によって記録媒体１０にテンションが生じるため、乾燥部３０内の記録媒体１０が冷却部４０側へ引っ張られて冷却部４０内に搬送される。
このとき、上流側昇降機構２６を、下流側昇降機構４９の下降によって搬送される記録媒体１０の搬送量分だけテンション部２０内の搬送距離が短くなるように、図中矢印Ｂの向きに上昇させる。
【００２２】
この下流側昇降機構４９と下降動作と、上流側昇降機構２６の上昇動作とにより、乾燥部３０に対し搬送方向下流側では、乾燥部３０内を通過することで加熱された記録媒体１０が冷却部４０内に搬送され、冷却ファン５０によって冷却される。一方、乾燥部３０に対して搬送方向上流側では、テンション部２０内に滞留する比較的低温な記録媒体１０が、該昇降動作によって乾燥部３０に搬送され、熱伝導によって乾燥部３０の熱を吸収する。
【００２３】
図５は、同冷却動作の他の動作ついて説明する図である。
次に、図５に示すように、冷却部４０に設けられた下流側昇降機構４９を図中矢印Ｃの向きに上昇させる。
この下流側昇降機構４９の上昇によって、冷却部４０の冷却部４０内のガイドローラ４５〜４８とダンサーローラ４１〜４４との間隔が狭くなるため、冷却部４０内の記録媒体１０の搬送距離が短くなる。これにより、乾燥部３０内の記録媒体１０がテンション部２０側へ搬送される。
このとき、下流側昇降機構４９を、下流側昇降機構４９の上昇によって搬送される記録媒体１０の変化量分だけ、テンション部２０内の搬送距離が長くなるように、図中矢印Ｄの向きに下降させる。
【００２４】
この下流側昇降機構４９の上昇動作と、上流側昇降機構２６の下降動作とにより、冷却部４０内で冷却された記録媒体１０が乾燥部３０に搬送され、熱伝導によって乾燥部３０内部の熱を吸収する。また、乾燥部３０内の熱を吸収した記録媒体１０がテンション部２０に搬送されることで、乾燥部３０の熱を記録媒体１０がテンション部２０へ運ぶ。
本実施形態における乾燥部３０の冷却動作は、図４及び図５に示す下流側昇降機構４９及び上流側昇降機構２６の昇降動作を繰り返すよう制御される。これにより、乾燥部３０の熱を記録媒体１０を介して冷却部４０及びテンション部２０へ繰り返し運ぶことができ、記録媒体１０の熱伝導によって乾燥部３０を冷却することができる。
【００２５】
このように、上流側昇降機構２６及び下流側昇降機構４９の昇降動作によって、乾燥装置１００内で記録媒体１０を動かすことができるため、記録媒体１０の熱伝導によって乾燥部３０の冷却を行うことができる。また、乾燥部３０の冷却動作の際に、記録媒体１０を動かしながら冷却を行うため、加熱ローラの熱で用紙が黄変するのを抑制することができる。
【００２６】
特許文献２には、加熱部の設定温度を高温から低温に切り替えるために、次のような加熱部冷却用部材を備えた定着装置が記載されている。
特許文献１の定着装置は、ヒータを内蔵した加熱ローラと、この加熱ローラに圧接する加圧ローラとからなる加熱部としての定着ローラ対と、巻取りローラにロール状に保持された冷却用長尺部材を加熱部冷却用部材として備えている。
この定着装置は、定着ローラ対の間に記録媒体体が搬送されていない状態で、定着ローラ対の間に冷却用長尺部材を通過させることで、冷却用長尺部材によって定着ローラ対の熱を奪取している。これにより、定着ローラ対を冷却することができ、加熱部の設定温度を切り替えることができるとしている。
しかしながら、記録媒体を巻き掛けて搬送する複数のローラ、及び、この記録媒体を加熱する加熱部を備える乾燥装置に特許文献１の加熱部冷却機構を適用すると、加熱部内に長尺の用紙（記録媒体）が張られている場合、冷却用長尺部材を使用することができない。
【００２７】
本実施形態の乾燥装置１００は、上流側昇降機構２６、下流側昇降機構４９、冷却ファン５０等の記録媒体１０の乾燥を実施するための部材によって乾燥部３０を冷却している。
すなわち、上流側昇降機構２６は、乾燥部３０の稼働時に記録媒体１０にテンションを与えるテンション機構であり、下流側昇降機構４９は、該テンション機構及び、乾燥部３０の稼働時に乾燥部３０から搬送された記録媒体を冷却する記録媒体冷却機構である。また、冷却ファン５０は、乾燥部３０の稼働時に乾燥部３０での加熱によって高温となった記録媒体を冷却するための冷却手段である。
このため、本実施形態の乾燥装置１００は、加熱部冷却用の専用冷却ファンや、冷却用長尺部材などの冷却のための専用の部材を設けることなく、乾燥部３０を冷却することができる。
【００２８】
なお、上述した説明では、乾燥部３０を冷却動作に冷却ファン用いた構成について説明したが、乾燥部３０を冷却動作に冷却ファンを用いない構成としてもよい。
【００２９】
また、通常、記録媒体を乾燥させる乾燥部を複数の加熱ローラで構成した場合、複数の加熱ローラのうち搬送方向の最も上流側に位置する加熱ローラは、記録媒体の乾燥時に表面温度が設定温度まで上がらない。これは、用紙との接触によって加熱ローラの熱が用紙に奪われるためである。したがって、乾燥部の停止時、乾燥部に用紙を搬送することで各加熱ローラの熱や乾燥部内の雰囲気に含まれる熱を用紙が奪い、乾燥部を冷却することができる。
しかし、このように用紙を搬送することで乾燥部を冷却する場合、通常は乾燥装置上流に位置する印刷装置は巻き戻し動作が出来ないため、乾燥部の冷却のために搬送した用紙が無駄になってしまう。
【００３０】
本実施形態の乾燥装置１００においては、乾燥部３０を冷却する際に乾燥部３０の冷却前と比べて、下流側昇降機構４９の上昇によって冷却部４０内の記録媒体１０の搬送距離を短くしている。また、乾燥部３０を冷却する際に乾燥部３０の冷却前と比べて、上流側昇降機構２６の下降によってテンション部２０内の記録媒体１０の搬送距離を長くしている。
これにより、乾燥部３０を冷却する際に、乾燥部３０の稼働時の記録媒体１０の搬送方向とは逆方向に記録媒体１０を搬送することが可能となる。したがって、乾燥部３０を冷却する際に、記録媒体１０を搬送し続けることなく、記録媒体１０の熱伝導によって乾燥部３０を冷却することができる。
【００３１】
また、本実施形態の乾燥装置１００においては、乾燥部３０の冷却の際に乾燥部３０の冷却前に比べて変化する、下流側昇降機構４９の昇降動作による搬送距離の変化量が次のようになっている。すなわち、下流側昇降機構４９によって変位する搬送距離の変化量と、上流側昇降機構２６の昇降動作によって変位する搬送距離の変化量とが等しくなるように、上流側昇降機構２６を上昇させている。
具体的には、下流側昇降機構４９の下降によって乾燥部３０に対して搬送方向上流側へ搬送される記録媒体１０の搬送量分だけ、乾燥部３０に対して搬送方向上流側の搬送距離を短くするように上流側昇降機構２６を上昇させている。これにより、下流側昇降機構４９の下降によって搬送される記録媒体の搬送量分だけ、冷却部４０内に記録媒体を蓄えることができる。
【００３２】
したがって、乾燥部３０の冷却の際に乾燥装置１００内のみで記録媒体１０を動かすことができ、乾燥装置１００に対して記録媒体の搬送方向上流及び下流に位置する装置内に滞留する記録媒体を動かさずに乾燥部３０を冷却することが可能となる。このため、該搬送方向上流及び下流に位置する装置に影響を与えずに、記録媒体１０の搬送によって乾燥部３０を冷却することが可能となる。
【００３３】
なお、乾燥部３０の冷却動作を実施する際、冷却部４０より下流側の記録媒体１０が、下流側昇降機構４９の下降によって僅かに冷却部４０内へ引っ張られる可能性がある。
そこで、乾燥部３０の冷却動作の際の記録媒体１０の移動によって、乾燥装置１００に対して下流に位置する装置に影響を及ぼさないために、例えば、各昇降機構２６，４９の駆動をエンコーダによって制御してもよい。また、冷却部４０の備える複数のローラ４１〜４８のうち、記録媒体の搬送方向最も下流に位置するガイドローラ４８を搬送ローラとし、該ガイドローラ４８の対となるローラとの間で記録媒体をニップする構成としてもよい。これにより、該ガイドローラ４８が回転駆動しない限りは、該ガイドローラ４８よりも下流側に記録媒体１０が搬送されることが無い。したがって、記録媒体１０が乾燥部３０の冷却動作中に乾燥装置１００外の搬送経路に向かって移動しないようにすることができる。
【００３４】
なお、上述した説明では、２つの昇降機構２６，４９の両方の昇降動作を各々制御する構成としたが、本発明の効果が得られる構成としてはこれに限らない。
例えば、２つの昇降機構２６，４９いずれかの構成、例えば、上流側昇降機構２６の構成を、該昇降機構の保持するガイドローラの自重や、スプリングなどによって記録媒体１０にテンションを与える構成とする。そして、乾燥部３０の冷却の際に、制御装置５０によって下流側昇降機構４９のみを昇降させることにより、２つの昇降機構２６，４９の移動を連動的に制御する構成としてもよい。
【００３５】
また、次のように構成しても良い。すなわち、２つの昇降機構２６，４９両方の構成を、各々の昇降機構の保持するガイドローラの自重によって記録媒体１０にテンションを与える構成とする。さらに、記録媒体の搬送経路において２つの昇降機構２６，４９の間に両方向に回転可能な駆動ローラを設ける構成とし、乾燥部３０の冷却の際に駆動ローラの駆動を制御することによって、２つの昇降機構２６，４９の移動を制御する構成としてもよい。
【００３６】
次に、本発明者が行った検証実験について説明する。
図６は、加熱部温度と時間との関係を示すグラフである。
図中実線ａは、上述した乾燥部３０の冷却動作を実施した場合の加熱部温度と時間との関係を示し、図中実線ｂは、自然冷却によって乾燥部３０の冷却を実施した場合の加熱部温度と時間との関係を示す。
【００３７】
本検証実験は下記の条件で行い、この結果を図６に示した。
条件：φ８０［ｍｍ］のアルミ加熱ローラを１４０度から７０度まで冷却する。
冷却動作：一分毎に２０インチ幅の紙を乾燥部に対して搬送方向下流側、及び、上流側にそれぞれ２９００［ｍｍ］搬送する。なお、この搬送距離は、加熱部３０内の複数の加熱ローラ３１〜３６のうち、記録媒体の搬送方向最も上流に位置する加熱ローラ３１から、最も下流に位置する加熱ローラ３６までの搬送距離である。
【００３８】
図６に示すように、冷却動作を実施しなかった場合は７０度まで下がるのに４０分ほど時間がかかった。一方、冷却動作を実施した場合は１３分ほどで７０度まで下がった。
また、本検証実験の結果、１回の冷却動作で紙が５０００［Ｊ］の熱をローラから奪うことが分かった。
【００３９】
通常、加熱部は、加熱効率を上げる為に断熱性を上げているため温度が下がりにくくなっている。このため、加熱部の冷却を自然冷却によって乾燥部を冷却する場合、所望の温度まで下がるのに時間がかかってしまう。さらに、自然冷却によって乾燥部を冷却する場合、高温の加熱ローラ上に用紙が接触し続けると、加熱ローラの熱で用紙が黄色く変色（黄変）してしまう。
上記実験結果より、本実施形態の乾燥装置１００によれば、自然冷却によって乾燥部３０を冷却する場合と比べて、加熱ローラをすばやく冷却することができることがわかった。これにより、加熱ローラの熱で用紙が黄変するのを抑制することができる。
【００４０】
なお、本検証実験では、冷却動作における記録媒体の搬送距離を、記録媒体の搬送方向最も上流に位置する加熱ローラ３１から、最も下流に位置する加熱ローラ３６までの搬送距離としたが、本発明の発明の効果が得られる搬送距離としてはこれに限らない。例えば、乾燥部３０内の記録媒体が、乾燥部３０に対して搬送方向上流側、又は、下流側に搬送される距離であればよい。
【００４１】
以上に説明したものは一例であり、本発明は、次の態様毎に特有の効果を奏する。
（態様Ａ）
記録媒体１０等の記録媒体を加熱する乾燥部３０等の加熱部と、前記記録媒体を搬送するダンサーローラ２４，２５、４１〜４４等の複数のローラとを備え、前記加熱部による加熱動作が停止、又は、スタンバイ状態である場合に前記加熱部を冷却する乾燥装置において、前記複数のローラのうち少なくとも１つのローラを移動可能に保持する下流側昇降機構４９等のローラ移動機構を備え、前記加熱部の冷却時に、前記ローラ移動機構の移動によって、前記記録媒体の搬送方向下流向き、及び、該搬送方向上流向きの少なくとも一方に前記記録媒体を搬送することを特徴とする。
【００４２】
本態様においては、上記実施形態について説明したように、下流側昇降機構４９の昇降動作によって記録媒体１０を動かすことで、記録媒体１０の熱伝導によって乾燥部３０の冷却を行うことができる。また、乾燥部３０の冷却動作の際に、記録媒体１０を動かしながら冷却を行うため、加熱ローラの熱で用紙が黄変するのを抑制することができる。
【００４３】
（態様Ｂ）
態様Ａにおいて、乾燥部３０等の前記加熱部の冷却時に、下流側昇降機構４９等の前記ローラ移動機構の移動によって、前記加熱部に対し前記搬送方向上流側の記録媒体１０等の前記記録媒体の搬送距離、及び該搬送方向下流側の前記記録媒体の搬送距離のうち少なくとも一方が、前記加熱部の冷却前と比べて長くなることを特徴とする。
【００４４】
本態様においては、上記実施形態について説明したように、下流側昇降機構４９の下降によって冷却部４０内のガイドローラ４５〜４８とダンサーローラ４１〜４４との間隔が広げられ、下流側昇降機構４９の下降によって記録媒体１０にテンションが生じるため、乾燥部３０内の記録媒体１０を冷却部４０側へ搬送することができる。
【００４５】
（態様Ｃ）
態様Ａ又はＢにおいて、前記ローラ移動機構として、前記加熱部に対して前記記録媒体の搬送方向上流側に位置する上流側昇降機構２６等の上流側ローラ移動機構と、前記加熱部に対して該搬送方向下流側に位置する下流側昇降機構４９等の下流側ローラ移動機構とを備え、前記加熱部の冷却時に、前記下流側ローラ移動機構及び前記上流側ローラ移動機構の移動によって、前記記録媒体の搬送方向下流向き、及び、該搬送方向上流向きの少なくとも一方に前記記録媒体を搬送することを特徴とする。
【００４６】
これによれば、乾燥部３０の冷却の際に乾燥装置１００の近傍のみで記録媒体１０を動かすことが可能となる。
【００４７】
（態様Ｄ）
態様Ｃにおいて、下流側昇降機構４９等の前記下流側ローラ移動機構の移動によって前記加熱部の冷却前に比べて変化する、乾燥部３０等の前記加熱部に対して前記搬送方向下流側の記録媒体１０等の前記記録媒体の搬送距離の変化量と、上流側昇降機構２６等の前記上流側ローラ移動機構の移動によって前記加熱部の冷却前に比べて変化する、前記加熱部に対して前記搬送方向下流側の前記記録媒体の搬送距離の変化量とが等しくなるように、前記上流側ローラ移動機構及び前記下流側ローラ移動機構が移動することを特徴とする。
【００４８】
本態様においては、上記実施形態について説明したように、下流側昇降機構４９の下降によって搬送される記録媒体の搬送量分だけ、冷却部４０内に記録媒体を蓄えることが可能となる。したがって、乾燥部３０の冷却の際に乾燥装置１００内のみで記録媒体１０を動かすことができる。
このため、乾燥装置１００に対して記録媒体の搬送方向上流及び下流に位置する装置内に滞留する記録媒体を動かさずに、乾燥部３０を冷却することが可能となる。また、該搬送方向上流及び下流に位置する装置に影響を与えずに記録媒体１０の搬送によって乾燥部３０を冷却することが可能となる。
【００４９】
（態様Ｅ）
態様Ｄにおいて、前記下流側ローラ移動機構及び前記上流側ローラ移動機構の移動によって、前記加熱部に対して前記搬送方向下流側の前記記録媒体の搬送距離を前記加熱部の冷却前と比べて短くし、前記上流側ローラ移動機構の移動によって前記加熱部に対して前記搬送方向上流側の前記記録媒体の搬送距離を前記加熱部の冷却前と比べて長くすることを特徴とする。
【００５０】
本態様においては、上記実施形態について説明したように、乾燥部３０の冷却の際に、乾燥部３０の稼働時の記録媒体１０の搬送方向とは逆方向に記録媒体１０を搬送することが可能となる。したがって、乾燥部３０の冷却の際に記録媒体１０を搬送し続けることなく、記録媒体１０の熱伝導によって乾燥部３０を冷却することができる。
【００５１】
（態様Ｆ）
態様Ｃ〜Ｅいずれか一において、上流側昇降機構２６等の前記上流側ローラ移動機構及び前記下流側ローラ移動機構の少なくとも一方は、上流側昇降機構２６等の該ローラ移動機構の保持するダンサーローラ２４，２５等のローラの位置を移動させることで、前記加熱部の稼働時に前記記録媒体にテンションを与えるテンション機構である。
これによれば、上記実施形態について説明したように、乾燥装置１００における記録媒体の乾燥動作を実施するための部材で乾燥部３０を冷却することが可能となる。
【００５２】
（態様Ｇ）
態様Ａ〜Ｆいずれか一において、下流側昇降機構４９等の前記下流側ローラ移動機構は、前記下流側ローラ移動機構の保持するローラの位置を移動させることで前記搬送距離を調整し、前記加熱部から搬送された前記記録媒体を冷却する記録媒体冷却機構である。
これによれば、上記実施形態について説明したように、乾燥装置１００における記録媒体の乾燥動作を実施するための部材で乾燥部３０を冷却することが可能となる。
【００５３】
（態様Ｈ）
態様Ａ〜Ｇいずれか一において、前記記録媒体の搬送を制御する制御装置７０等の制御部を有する。
これにより、上記実施形態について説明したように、乾燥室３０の冷却動作の際に、下流側昇降機構４９及び上流側昇降機構２６の昇降動作を繰り返すよう制御することが可能となる。したがって、乾燥部３０の熱を記録媒体１０を介して冷却部４０及びテンション部２０へ繰り返し運ぶことができ、記録媒体１０の熱伝導によって乾燥部３０を冷却することができる。
【００５４】
（態様Ｉ）
記録媒体にインク液又は前処理液を塗布する印刷装置２００等の前処理装置と、前記前処理装置に対して前記記録媒体の搬送経路下流に設置され、前記記録媒体を乾燥させる乾燥装置１００等の乾燥装置と、前記記録媒体加熱装置の該搬送経路下流に設けられ、前記記録媒体を巻き取る又は任意の大きさにカットする巻取り装置３００等の後処理装置とを有する印刷システム５００等の印刷システムにおいて、前記乾燥装置として態様Ａ〜Ｈいずれか一の態様の乾燥装置を用いることを特徴とする。
これにより、加熱ローラの熱で用紙が黄変するのを抑制することができる画像形成装置を実現できる。
【符号の説明】
【００５５】
１０ 記録媒体
２０ テンション部
２６ 上流側昇降機構
３０ 乾燥部
４０ 冷却部
４９ 下流側昇降機
７０ 制御装置
１００ 乾燥装置
２００ 印刷装置
３００ 巻取り置
５００ 印刷システム
【先行技術文献】
【特許文献】
【００５６】
【特許文献１】特開２０１４−１７７１０２号公報
【特許文献２】特開平成８−６４１０号公報
【図１】
2016175709.tif 000003
【図２】
2016175709.tif 000004
【図３】
2016175709.tif 000005
【図４】
2016175709.tif 000006
【図５】
2016175709.tif 000007
【図６】
2016175709.tif 000008